【手続補正書】
【提出日】平成16年11月18日(2004.11.18)
【手続補正１】
【補正対象書類名】明細書
【補正対象項目名】特許請求の範囲
【補正方法】変更
【補正の内容】
【特許請求の範囲】
【請求項１】
組成式{(Y1-y-zMyGdz)1-xTbx}2(Si1-bGebO2)1+aO3で表され、かつ、0＜x≦0.5、0≦y≦1、0≦z≦1(但し0≦y+z≦1)、0＜a≦1、0≦b≦1の範囲の値であり、かつ、MがSc, In, La, Lu, Yb, Ce, Eu, Sm, Tm, Ho, Er及びNdの群から選ばれる少なくとも１種の希土類元素であることを特徴とする蛍光体。
【請求項２】
上記組成式において0＜z≦0.1であることを特徴とする請求項１記載の蛍光体。
【請求項３】
上記組成式において0＜a≦0.4であることを特徴とする請求項１記載の蛍光体。
【請求項４】
上記組成式において、MはScであり、かつ0＜y≦0.07であることを特徴とする請求項１記載の蛍光体。
【請求項５】
上記組成式において、MはIn, La, Lu, Yb及びCeの群から選ばれる少なくとも１種の希土類元素であり、かつ0＜y≦0.12であることを特徴とする請求項１記載の蛍光体。
【請求項６】
上記組成式において、MはEuであり、かつ0＜y≦1x10-3であることを特徴とする請求項１記載の蛍光体。
【請求項７】
上記組成式において、MはSm, Tm, Ho, Er及びNdの群から選ばれる少なくとも１種の希土類元素であり、かつ0＜y≦5x10-3であることを特徴とする請求項１記載の蛍光体。
【請求項８】
上記組成式において、0.03≦x≦0.15であることを特徴とする請求項１記載の蛍光体。
【請求項９】
請求項１記載の蛍光体と、Y3(Al,Ga)5O12:Tb，Zn2SiO4:Mn，LaOCl:Tb及びInBO3:Tbの群から選ばれる少なくとも１種の蛍光体との混合組成物からなることを特徴とする蛍光体。
【請求項１０】
フェイスプレート上の蛍光膜と、この蛍光膜に電子ビームを照射させる手段とを備えた陰極線管において、前記蛍光膜は組成式{(Y1-y-zMyGdz)1-xTbx}2(Si1-bGebO2)1+aO3で表され、かつ、0＜x≦0.5、0≦y≦1、0≦z≦1(但し0≦y+z≦1)、0＜a≦1、0≦b≦1の範囲の値であり、かつ、MがSc, In, La, Lu, Yb, Ce, Eu, Sm, Tm, Ho, Er及びNdの群から選ばれる少なくとも１種の希土類元素である蛍光体を含むことを特徴とする陰極線管。
【請求項１１】
蛍光膜と、この蛍光膜に紫外線を照射させる手段とを備えたプラズマディスプレイパネルにおいて、前記蛍光膜は組成式{(Y1-y-zMyGdz)1-xTbx}2(Si1-bGebO2)1+aO3で表され、かつ、0＜x≦0.5、0≦y≦1、0≦z≦1(但し0≦y+z≦1)、0＜a≦1、0≦b≦1の範囲の値であり、かつ、MがSc, In, La, Lu, Yb, Ce, Eu, Sm, Tm, Ho, Er及びNdの群から選ばれる少なくとも１種の希土類元素である蛍光体を含むことを特徴とするプラズマディスプレイパネル。
【請求項１２】
蛍光膜と、この蛍光膜に低速電子線を照射させる手段とを備えた低速電子線ディスプレイパネルにおいて、前記蛍光膜は組成式{(Y1-y-zMyGdz)1-xTbx}2(Si1-bGebO2)1+aO3で表され、かつ、0＜x≦0.5、0≦y≦1、0≦z≦1(但し0≦y+z≦1)、0＜a≦1、0≦b≦1の範囲の値であり、かつ、MがSc, In, La, Lu, Yb, Ce, Eu, Sm, Tm, Ho, Er及びNdの群から選ばれる少なくとも１種の希土類元素である蛍光体を含むことを特徴とする低速電子線ディスプレイパネル。
【請求項１３】
フェイスプレート上の蛍光膜と、この蛍光膜に電子ビームを照射させる手段とを備えた陰極線管を具備して成る画像表示装置において、前記蛍光膜は組成式{(Y1-y-zMyGdz)1-xTbx}2(Si1-bGebO2)1+aO3で表され、かつ、0＜x≦0.5、0≦y≦1、0≦z≦1(但し0≦y+z≦1)、0＜a≦1、0≦b≦1の範囲の値であり、かつ、MがSc, In, La, Lu, Yb, Ce, Eu, Sm, Tm, Ho, Er及びNdの群から選ばれる少なくとも１種の希土類元素である蛍光体を含むことを特徴とする画像表示装置。
【請求項１４】
蛍光膜と、この蛍光膜に紫外線を照射させる手段とを備えたプラズマディスプレイパネルを具備して成る画像表示装置において、前記蛍光膜は組成式{(Y1-y-zMyGdz)1-xTbx}2(Si1-bGebO2)1+aO3で表され、かつ、0＜x≦0.5、0≦y≦1、0≦z≦1(但し0≦y+z≦1)、0＜a≦1、0≦b≦1の範囲の値であり、かつ、MがSc, In, La, Lu, Yb, Ce, Eu, Sm, Tm, Ho, Er及びNdの群から選ばれる少なくとも１種の希土類元素である蛍光体を含むことを特徴とする画像表示装置。
【請求項１５】
蛍光膜と、この蛍光膜に低速電子線を照射させる手段とを備えた低速電子線ディスプレイパネルを具備して成る画像表示装置において、前記蛍光膜は組成式{(Y1-y-zMyGdz)1-xTbx}2(Si1-bGebO2)1+aO3で表され、かつ、0＜x≦0.5、0≦y≦1、0≦z≦1(但し0≦y+z≦1)、0＜a≦1、0≦b≦1の範囲の値であり、かつ、MがSc, In, La, Lu, Yb, Ce, Eu, Sm, Tm, Ho, Er及びNdの群から選ばれる少なくとも１種の希土類元素である蛍光体を含むことを特徴とする画像表示装置。
【請求項１６】
組成式{(Y1-y-zMyGdz)1-xTbx}2(Si1-bGebO2)1+aO3で表され、かつ、0＜x≦0.5、0≦y≦1、0≦z≦1(但し0≦y+z≦1)、0＜a≦0.3、0≦b≦1の範囲の値であり、かつ、MがSc, In, La, Lu, Yb, Ce, Eu, Sm, Tm, Ho, Er及びNdの群から選ばれる少なくとも１種の希土類元素であることを特徴とする蛍光体。
【請求項１７】
蛍光膜と、この蛍光膜に低速電子線を照射させる手段とを備えた低速電子線電界効果パネルにおいて、前記蛍光膜は組成式{(Y1-y-zMyGdz)1-xTbx}2(Si1-bGebO2)1+aO3で表され、かつ、0＜x≦0.5、0≦y≦1、0≦z≦1(但し0≦y+z≦1)、0＜a≦1、0≦b≦1の範囲の値であり、かつ、MがSc, In, La, Lu, Yb, Ce, Eu, Sm, Tm, Ho, Er及びNdの群から選ばれる少なくとも１種の希土類元素である蛍光体を含むことを特徴とする低速電子線電界効果パネル。
【請求項１８】
前記化学式のa の値が0＜a≦0.3の範囲の値であることを特徴とする請求項１7記載の低速電子線電界効果パネル。
【請求項１９】
蛍光膜と、この蛍光膜に低速電子線を照射させる手段とを備えた低速電子線ディスプレイパネルを具備して成る画像表示装置において、前記蛍光膜は組成式{(Y1-y-zMyGdz)1-xTbx}2(Si1-bGebO2)1+aO3で表され、かつ、0＜x≦0.5、0≦y≦1、0≦z≦1(但し0≦y+z≦1)、0＜a≦0.3、0≦b≦1の範囲の値であり、かつ、MがSc, In, La, Lu, Yb, Ce, Eu, Sm, Tm, Ho, Er及びNdの群から選ばれる少なくとも１種の希土類元素である蛍光体を含むことを特徴とする画像表示装置。